(57)【特許請求の範囲】
【請求項１】
現在使用中の第１の通信チャネル上での通信データの送受信を維持したまま他の基地局に第２の通信チャネルの割り当てを要求して第２の通信チャネルとの接続を確立した後に、通信データの送受信を第１から第２の通信チャネルに切り替えるシームレスハンドオーバを行なう携帯電話機であって、
前記第１から第２の通信チャネルに切り替えたとき、第２の通信チャネルの受信タイムスロットに含まれる同期ワードの検出誤りの許容度を一時的に厳しくすることを特徴とする携帯電話機。
【請求項２】
現在使用中の第１の通信チャネル上での送受信を維持したまま他の基地局に新たな第２の通信チャネルの割り当てを要求して第２の通信チャネルとの接続を確立した後、通信データの送受信を第１から第２の通信チャネルに切り替えるシームレスハンドオーバを行なう携帯電話機であって、
時分割多重による第１の通信チャネルにおける受信タイムスロットのタイミングを示す第１タイミング信号を、第１タイミング信号を基準に第２の通信チャネルにおける受信タイムスロットのタイミングを示す第２タイミング信号をそれぞれ生成するタイミング生成手段と、
前記第１タイミング信号を基準に第１の通信チャネルの受信タイムスロットに含まれる同期ワードの検出期間を示す第１検出窓信号を、第１検出窓信号を基準に第２の通信チャネルの受信タイムスロットに含まれる同期ワードの検出期間を示す第２検出窓信号をそれぞれ生成する検出窓生成手段と、
第１および第２検出窓信号が示す各検出期間において、指定されたビット数のビット誤りを許容して同期ワードを検出する同期ワード検出手段と、
第１検出窓信号の検出期間と検出された同期ワードとのタイミングのずれ量をタイミング生成手段の第１タイミング信号の生成過程にフィードバックするフィードバック手段と、
第２の通信チャネルとの接続が確立された後に、第２の通信チャネルにおける受信タイムスロットのタイミングを基準にして第１タイミング信号を生成するようタイミング生成手段を制御するとともに、同期ワード検出手段に指定してビット誤りを許容するビット数を一時的に少なくさせる制御手段と
から構成されることを特徴とする携帯電話機。
【請求項３】
前記制御手段は、第２の通信チャネルとの接続が確立されたとき、ビット誤りを許容するビット数を少なくとも１ビット少なく指定し、その後同期ワード検出手段により同期ワードが検出されたとき元のビット数を指定することを特徴とする請求項２記載の携帯電話機。
【発明の詳細な説明】
【０００１】
【発明の属する技術分野】
本発明は、基地局から別の基地局へ通信を切り替えるハンドオーバを行う携帯電話機に関し、特に基地局間で同期ずれしている場合における同期補正の改良に関する。
【０００２】
【従来の技術】
ＰＨＳ（Ｐｅｒｓｏｎａｌ  Ｈａｎｄｙｐｈｏｎｅ  Ｓｙｓｔｅｍ）の携帯電話機は、複数の無線ゾーン間を移動しながら通信を継続するために、それまで通信を行っていた切替元の基地局（以下、旧基地局と呼ぶ）から別の基地局（以下、新基地局と呼ぶ）に通信チャネルを切替える処理を行う。この処理をハンドオーバと呼ぶ。
【０００３】
近年では、シームレスハンドオーバといって、ハンドオーバの開始から新基地局との通信開始までの間、旧基地局との通信を中断せずに維持し、新基地局との通信開始と同時に旧基地局との通信を切断するという手順により通話音声が途切れないハンドオーバを行う携帯電話機がある。
シームレスハンドオーバは、次のようになされる。前提として携帯電話機は、ＴＤＭＡ／ＴＤＤ方式により、基地局から携帯電話機への４つの下り（受信）スロットと携帯電話機から基地局への４つの上り（送信）スロットとから構成される１フレーム（５ミリ秒）を単位とする４チャネル多重時分割双方向通信を行う。携帯電話機は、１組の送受信スロットにおいて１つの通信チャネル上で旧基地局と通信データの送受信を行う。この送受信において通信データの通信品質の劣化を検出すると、携帯電話機は前記送受信スロットにおいて当該通信データの送受信を維持しながら、残りの３組の送受信スロットにおいて切り替え先の基地局を探す探索処理、探した基地局と通信チャネルを確立するリンクチャネル確立処理および、確立した通信チャネル上で呼接続する接続処理を順次行い、呼接続された新基地局との通信を開始すると同時に切り替え元基地局との通信を切断する。
【０００４】
ところで携帯電話機は、シームレスハンドオーバ処理中、旧基地局と新基地局との両方に同期する必要がある。ここで同期とは、基地局の送受信タイミングに携帯電話機の送受信タイミングを合わせることをいい、基地局から携帯電話機への受信スロットにおいて受信される受信信号中、特定の位置に配置されているユニークワード（以下、ＵＷと省略する）を用いて行われる。図４に通信チャネルの送受信スロットの構成を示す。同図に示すように、スロットの先頭から数えて１３ビット目に１６ビット幅のＵＷが配置されている。
【０００５】
携帯電話機は、受信タイミングを基準にＵＷが受信されるタイミングを示す検出窓信号を生成する。そして検出窓信号が示す期間内に受信される受信信号のビットパターンを、予め記憶しているＵＷのビットパターンと比較し、それらが一致するか否かによってＵＷを検出する。携帯電話機は、検出したＵＷの位置を基準にして次の検出窓信号を生成する。つまり携帯電話機は、ＵＷを検出した位置に基づいて次のＵＷが検出される位置を予測し、予測した位置に合わせて検出窓信号を生成する。ここで、検出窓信号の期間は、ＵＷの先頭から末尾のビットの前後にマージンも含めてＵＷのビット長よりも幾分大きく設定される。またビットパターンの比較では完全一致ではなく数ビットのビット誤りも許容される。
【０００６】
携帯電話機は、実際に検出されたＵＷの開始位置と、予測していたＵＷの開始位置とのずれ量を受信タイミング及び検出窓信号のタイミングにフィードバックすることにより、それらのタイミングを補正する。
シームレスハンドオーバの処理中、携帯電話機は、旧基地局との受信タイミング及び検出窓信号のタイミングについては直接上記の補正を行っているが、新基地局に対しては補正しないで、旧基地局の受信タイミング及びＵＷ検出タイミングを基準に新基地局の受信タイミング及びＵＷ検出タイミングを決定するのみである。
【０００７】
このように、新基地局に対しては基地局のＵＷ位置を基にＵＷ位置を予測しているだけであるので、上記の新基地局探索処理以降に新基地局との通信を開始するまで、新基地局の受信タイミングにおける検出窓信号の期間を通常よりも広げてＵＷを検出する。新基地局との通信開始後は、新基地局の通信チャネルに対して直接補正するようしている。
【０００８】
このように、シームレスハンドオーバの期間、旧基地局の同期補正だけで、新基地局のＵＷ検出範囲を広げて受信することにより、新基地局と旧基地局との受信スロット位置に同期ずれがあっても、両基地局の信号を受信することができる。
【０００９】
【発明が解決しようとする課題】
ところが従来の携帯電話機によれば、シームレスハンドオーバにおいて、新基地局に対する検出窓信号の期間を広げてＵＷを検出しているので、ＵＷではない部分をＵＷと誤検出する確率が高くなる。新基地局との通信開始後、新基地局の通信チャネルに対してＵＷ開始位置の補正を行うときに、ＵＷ誤検出が発生すると、誤った位置に同期補正され、通信不可となる可能性があった。
【００１０】
上記問題に鑑み本発明は、シームレスハンドオーバにおいて新基地局への通信チャネル切り換え時に通話切断を生じさせない携帯電話機を提供することを目的とする。
【００１１】
【課題を解決するための手段】
上記問題を解決するため、本発明の携帯電話機は、現在使用中の第１の通信チャネル上での通信データの送受信を維持したまま他の基地局に第２の通信チャネルの割当を要求して第２の通信チャネルとの接続を確立した後に、通信データの送受信を第１から第２の通信チャネルに切替えるシームレスハンドオーバを行う携帯電話機であって、前記第１から第２の通信チャネルに切り替えたとき、第２の通信チャネルの受信タイムスロットに含まれる同期ワードの検出誤りの許容度を一時的に厳しくするよう構成される。
【００１２】
【発明の実施の形態】
以下、本発明に係る携帯電話機の実施の形態について、図面を参照しながら説明する。
（１）携帯電話機の構成
図１は、本発明の実施の形態に係る携帯電話機の構成を示す機能ブロック図である。同図に示されるように、本実施の形態の携帯電話機は、アンテナ１０、送受信切替部１１、無線部１２、モデム部１３、第１ＴＤＭＡ処理部１４Ａ、第２ＴＤＭＡ処理部１４Ｂ、コーデック部１５、マイク１６、スピーカ１７、制御部１８、ＵＷ検出部１９、タイミング発生部２０、誤り許容設定部２１を備えている。
【００１３】
送受信切替部１１は、アンテナ１０を介したＴＤＤによる送信と受信とを切り替えるスイッチである。
無線部１２は、送信部１２１、シンセサイザ１２２Ａ、１２２Ｂ、受信部１２３、ＲＳＳＩ検出部１２４を含んでいる。
送信部１２１は、送信周波数への変換を行うミキサ、増幅器等から構成され、モデム部１３より入力される音声及び制御信号の変調信号を送信波に変換して送信する。
【００１４】
シンセサイザ１２２Ａ、Ｂは、制御部１８より入力される周波数切り替え指示に応じて指示された周波数のローカル周波数信号を生成して、送信部１２１及び受信部１２３に供給する。なお、本実施の形態で用いるシンセサイザ１２２Ａ、１２２Ｂは、周波数切替指示の入力から、安定したローカル周波数信号を生成するまでには、ロック時間として約３００μ秒を要するが、二つのシンセサイザを切り替えることにより、当該ロック時間にかかわらず、隣接するタイミングのタイムスロット間においても、周波数（キャリア）の切り替えを行うことができる。
【００１５】
受信部１２３は、アンテナ１０より送受信切替部１１を介して入力される制御チャネル及び通信チャネルの受信波を中間周波数信号に変換し、中間周波数信号を増幅してモデム部１３に出力する。
ＲＳＳＩ検出部１２４は、受信部１２３による中間周波数信号の増幅と同時に受信信号の強さをＲＳＳＩとして検出し、制御部１８に出力する。本実施の形態のＲＳＳＩ検出部１２４は、通信チャネルにおいて通信を行っている際には、当該通信チャネルのＲＳＳＩを検出して通信品質の監視に供し、ハンドオーバ動作を行う場合には、制御チャネルのＲＳＳＩを検出して、切り替え先の基地局の探索に供する。
【００１６】
以上に説明した無線部１２の各部は、後述するタイミング発生部２０によるタイミング制御や制御部１８による周波数切替指示等に従って、ＴＤＭＡ／ＴＤＤ方式による送受信を行う。
モデム部１３は、無線部１２と第１ＴＤＭＡ処理部１４Ａ、第２ＴＤＭＡ処理部１４Ｂとの間で、π／４シフトＱＰＳＫ（直交位相変換）等による変調及び復調を行うモデムである。
【００１７】
コーデック部１５は、音声処理部１５は、マイク１６、スピーカ１７を介して入出力する音声の音声符号化処理及び復号化処理や増幅等を行う。
タイミング発生部２０は、基地局と携帯電話機との間で送受信を行うタイミングを示す送信タイミング信号及び受信タイミング信号を生成し、送受信切り替え部１１、無線部１２、第１ＴＤＭＡ処理部１４Ａ、第２ＴＤＭＡ処理部１４Ｂに供給する。
【００１８】
図２のＴ２０１、Ｔ２０２、Ｔ２０３、Ｔ２０４にタイミング発生部２０が生成する送信、受信タイミング信号を示す。Ｔ２０１〜２０４において、それぞれオンとなっているタイミングが送信又は受信タイミングを示している。Ｔ２０１は、携帯電話機が通信チャネルにて通信中の基地局からの通信データを受信するための受信タイミングを示す。Ｔ２０２は、Ｔ２０１に対応し、携帯電話機が通信チャネルにて通信中の基地局へ通信データを送信するための送信タイミングを示す。Ｔ２０１及びＴ２０２は、新基地局との通信開始前においては旧基地局との通信データの送受信タイミングを示し、新基地局との通信開始後は新基地局との通信データの送受信タイミングを示す。Ｔ２０３は、制御チャネルの探索処理区間においては他の基地局から間欠送信される制御信号を受信する受信タイミングを示し、リンクチャネル確立処理区間においては新基地局とのリンクチャネル確立処理によって送信されてくる信号（リンクチャネル割り当てを含む）の受信タイミングを示し、接続処理区間においては新基地局との呼接続処理によって送信されてくる信号の受信タイミングを示し、新基地局との通信開始後においては旧基地局との切断処理によって送信されてくる信号の受信タイミングを示す。Ｔ２０４は、Ｔ２０３に対応し、リンクチャネル確立処理区間においては新基地局とのリンクチャネル確立処理によって送信する信号の送信タイミングを示し、接続処理区間においては新基地局との呼接続処理によって送信する信号の送信タイミングを示し、新基地局との通信開始後においては旧基地局との切断処理によって送信する信号の送信タイミングを示す。ここでＴ２０１及びＴ２０２の送受信タイミングと、Ｔ２０３及びＴ２０４の送受信タイミングとは、新基地局との通信開始時を境にして切り替えられている。具体的にはＴ２０１及びＴ２０２は新基地局との通信開始時を境に、旧基地局から新基地局の送受信タイミングに切り替えられ、Ｔ２０３及びＴ２０４は新基地局との通信開始時を境に、新基地局から旧基地局の送受信タイミングに切り替えられている。タイミング発生部２０は、制御部１８からの指示に応じてこの切り替えを行っている。
【００１９】
タイミング発生部２０は、Ｔ２０１〜２０４を送受信切り替え部１１と無線部１２に供給し、またそれらのうちＴ２０１とＴ２０２を第１ＴＤＭＡ処理部１４Ａに供給し、Ｔ２０３、２０４を第２ＴＤＭＡ処理部１４Ｂに供給する。
タイミング発生部２０は、Ｔ２０１の受信タイミングを基準にしてＴ２０２、Ｔ２０３、Ｔ２０４の送信及び受信タイミングを生成する。つまりタイミング発生部２０は、Ｔ２０１の受信タイミングを生成した時刻に基づいて、その時刻から所定時間経過後にＴ２０２〜Ｔ２０４の送信及び受信タイミングを生成する。この所定時間は、Ｔ２０１の受信タイミングのスロット（又はフレーム）の位置と、Ｔ２０２〜２０４それぞれのタイミングのスロット（又はフレーム）の位置との相対位置に応じて定められる。例えばＴ２０２の送信タイミングのスロットの位置は、Ｔ２０１の受信タイミングのスロットの位置に対して４スロット離れており、また１スロットの期間は６２５μ秒であるから、タイミング発生部２０は、Ｔ２０１の受信タイミングを生成した時刻から６２５μ秒×４スロット＝２．５ミリ秒後にＴ２０２の送信タイミングを生成する。
【００２０】
またタイミング発生部２０は、Ｔ２０１の受信タイミング信号を基準にして当該受信タイミングの受信スロットに含まれるＵＷを検出するための検出期間を示す第１検出窓信号を生成し、生成した第１検出窓信号を基準にしてＴ２０３の受信タイミングの受信スロットに含まれるＵＷを検出するための検出期間を示す第２検出窓信号を生成する。タイミング発生部２０は、生成した第１及び第２検出窓信号をＵＷ検出部１９に供給する。
【００２１】
さらにタイミング発生部２０は、後述の第１ＴＤＭＡ処理部１４Ａより出力されるずれ量を用いてＴ２０１に示す受信タイミングを補正する。
第１ＴＤＭＡ処理部１４Ａ、第２ＴＤＭＡ処理部１４Ｂは、ＴＤＭＡ／ＴＤＤ方式による時分割多重双方向通信の制御を行う。
より詳しくは、図２に示すように第１ＴＤＭＡ処理部１４Ａは、ハンドオーバ前から新基地局との通信開始まで、つまりハンドオーバ前、探索処理、リンクチャネル確立処理、接続処理の間、旧基地局を対象とし、図２に示すＴ２０１、Ｔ２０２のタイミングで旧基地局と送受信されるの通信データの変復調を行う。そして第１ＴＤＭＡ処理部１４Ａは、新基地局との通信開始時からは、制御部１８による切り替え指示に応じて、新基地局を対象とし、Ｔ２０１、Ｔ２０２のタイミングで新基地局と送受信される通信データの変復調を行う。
【００２２】
第１ＴＤＭＡ処理部１４ＡはＵＷ検出部１９よりＴ２０１の受信タイミングにおいて受信される受信スロット中のＵＷの位置の通知を受けており、このＵＷ位置に基づいて当該ＵＷを含む受信スロットを位置決めして受信データを復調している。
また第１ＴＤＭＡ処理部１４Ａは、タイミング発生部２０より供給される受信タイミングと、ＵＷ検出部１９より通知されるＵＷ位置とから同期のずれ量を求め、そのずれ量をタイミング発生部２０に出力する。
【００２３】
第２ＴＤＭＡ処理部１４Ｂは、旧基地局の通信品質劣化を検出した制御部１８の指示により、旧基地局と通信を行っている送受信スロット以外の期間において、Ｔ２０３、Ｔ２０４のタイミングで、他の基地局から間欠送信される制御データの復調を行う。また第２ＴＤＭＡ処理部１４Ｂは、リンクチャネル確立処理区間において新基地局に対してなされるリンクチャネル確立要求信号及び新基地局より受信されるリンクチャネル割り当て信号の変復調と、接続処理区間において新基地局となされる通信開始前の接続処理において送受信される通信データの変復調とを行う。また第２ＴＤＭＡ処理部１４Ｂは、新基地局との通信開始時からは、制御部１８による切り替え指示に応じて、新基地局から旧基地局へと切り替えて、旧基地局との間でなされる切断処理の制御を行う。なお、旧基地局との切断処理は必ずしも行う必要はなく、第２ＴＤＭＡ処理部１４Ｂは制御部１８の指示に応じて、切断処理の制御を行わずに動作を停止するよう構成してもよい。
【００２４】
第２ＴＤＭＡ処理部１４ＢはＵＷ検出部１９よりＴ２０３の受信タイミングにおいて受信される受信スロット中のＵＷの位置の通知を受けており、このＵＷ位置に基づいて受信データを復調している。
第１ＴＤＭＡ処理部１４Ａと第２ＴＤＭＡ処理部１４Ｂとは、第１ＴＤＭＡ処理部１４Ａが受信タイミングとＵＷ位置とから同期のずれ量を求めてタイミング発生部２０にフィードバックしているのに対して、第２ＴＤＭＡ処理部１４Ｂは、ずれ量をフィードバックしていない点で大きく異なっている。
【００２５】
制御部１８は、新基地局と携帯電話機とが通信可能な状態になったとき第１ＴＤＭＡ処理部１４Ａと第２ＴＤＭＡ処理部１４Ｂとの送受信タイミングを切り替える。つまり図２の接続処理区間において第１ＴＤＭＡ処理部１４Ａが行っていた旧基地局との通信データの変復調は、新基地局との通信開始時点から第２ＴＤＭＡ処理部１４Ｂに引き継がれ、第２ＴＤＭＡ処理部１４Ｂが行っていた新基地局との間の変復調は、新基地局との通信開始時点から第１ＴＤＭＡ処理部１４Ａに引き継がれる。
【００２６】
また制御部１８は、第１ＴＤＭＡ処理部１４Ａと第２ＴＤＭＡ処理部１４Ｂとの送受信タイミングを切り替えたとき、その旨を誤り許容設定部２１に通知する。
ＵＷ検出部１９は、タイミング発生部２０より供給される第１検出窓信号および第２検出窓信号が示すＵＷ検出期間中、モデム部１３によって復号される受信信号中のＵＷを検出する。そして第１検出窓信号の期間において検出した場合は第１ＴＤＭＡ処理部１４Ａに、第２検出窓信号の期間において検出した場合は第２ＴＤＭＡ処理部１４Ｂに、それぞれＵＷを検出したことを通知する。
【００２７】
ＵＷ検出部１９は、以下のようにしてＵＷの検出を行う。ＵＷ検出部１９は、ＵＷのビットパターンを予め記憶している。またＵＷ検出部１９は、ＵＷのビット幅と同じ幅のシフトレジスタを有し、検出窓信号が示す期間中において受信される受信信号をそのシフトレジスタに１ビットずつシフトしながら保持する。ＵＷ検出部１９は、シフトレジスタに保持されているビットパターンと記憶しているＵＷとを比較し、一致していない場合はシフトレジスタを１ビットシフトして再び比較するという操作を繰り返す。ＵＷ検出部１９は、ビットパターンが一致したとき、その旨を示す信号を第１ＴＤＭＡ処理部１４Ａまたは第２ＴＤＭＡ処理部１４Ｂに出力する。
【００２８】
上記比較においてＵＷ検出部１９は、シフトレジスタに保持されるビットパターンと記憶しているＵＷとの完全一致ではなく、数ビットのビット誤りを許容している。ここで誤り許容のビット数の設定は誤り許容設定部２１よりなされる。ＵＷ検出部１９は、携帯電話機が新基地局との通信を開始してすぐに新基地局より受信される受信信号からＵＷを検出する際、誤り許容設定部２１からの設定によって一時的に誤り許容を厳しくする。
【００２９】
より具体的には、ＵＷ検出部１９は、図２に示すように誤り許容設定部２１により大半の期間において誤り許容を１ビットに設定されている。つまりＵＷ検出部１９は、シフトレジスタに保持されているビットパターンと記憶しているＵＷとを比較したとき１ビット以下の誤りであれば、一致しているものと判定する。そして新基地局との通信開始直後の新基地局の通信チャネルの受信タイミングにおいて、ＵＷ検出部１９は、誤り許容設定部２１により誤り許容を０ビットに設定され、その後当該ＵＷが検出されたときに１ビットに設定される。つまりＵＷ検出部１９は、この期間においてシフトレジスタに保持されているビットパターンと記憶しているＵＷとが完全一致の場合のみ一致しているものとしてその旨を示す信号を第１ＴＤＭＡ処理部１４Ａまたは第２ＴＤＭＡ処理部１４Ｂに出力する。
【００３０】
誤り許容設定部２１は、制御部１８より第１ＴＤＭＡ処理部１４Ａと第２ＴＤＭＡ処理部１４Ｂとの送受信タイミングを切り替えた旨が通知されると、最初の新基地局からの通信チャネル上の受信タイミングの期間開始と同時に、それまで１ビットに設定されていたＵＷ検出部１９の誤り許容を１ビットから０ビットに設定させ、その後当該ＵＷが検出されたときにＵＷ検出部１９の誤り許容を０ビットから１ビットに戻す。
【００３１】
以上のように構成された携帯電話機について以下にその動作を説明する。
図３は、制御部１８の制御手順を示すフローチャートである。
制御部１８は、第１ＴＤＭＡ処理部１４Ａを用いて旧基地局との通信データの送受信を行う（ステップ３０１）。
制御部１８はＲＳＳＩ検出１２４により検出されるＲＳＳＩレベル又は第１ＴＤＭＡ処理部による誤りチェック等により、レベル劣化やフレームエラー等の通信品質劣化を検出すると（ステップ３０２）、第２ＴＤＭＡ処理部１４Ｂを用いて他の基地局より間欠送信される制御チャネルの制御信号を受信する。このとき第２ＴＤＭＡ処理部１４Ｂが復調する受信タイミングにおけるＵＷ検出窓を広く設定するようタイミング発生部２０に指示する（ステップ３０３、３０４）。具体的には±３〜４ビットのマージンから±１０〜１５ビットに広げて設定する。
【００３２】
制御部１８は、探索された基地局のうち適切な基地局を新基地局として選択し、選択した基地局宛てにリンクチャネル確立要求を送信し、その結果リンクチャネル割り当てを受信する（ステップ３０５）。
制御部１８は、第２ＴＤＭＡ処理部１４Ｂを用いて新基地局との呼接続処理を行う（ステップ３０６）。呼接続が確立して新基地局より応答メッセージを受信すると（ステップ３０７）、誤り許容設定部２１に誤り許容の設定を切り替えるよう指示する（ステップ３０８）。その結果、誤り許容設定部２１は、それまで１ビットに設定していた誤り許容を０ビットに変更する。
【００３３】
制御部１８は、第１ＴＤＭＡ処理部１４Ａと第２ＴＤＭＡ処理部１４Ｂとの送受信タイミングの切り替えを指示する。すなわち第１ＴＤＭＡ処理部１４Ａを用いて新基地局と送受信を行い、第２ＴＤＭＡ処理部１４Ｂにて旧基地局との切断処理を行う。
この切り替えにより、第１ＴＤＭＡ処理部１４Ａは、新基地局との送受信が開始し、ＵＷ検出部１９より通知される新基地局の受信タイミングにおけるＵＷ位置と現在の受信タイミングとのずれ量を求め、タイミング発生部２０に通知する。タイミング発生部２０は、ずれ量に基づいて新基地局との受信タイミング信号を補正し、この補正した受信タイミング信号に基づいてその他の送受信タイミング及び第１検出窓信号および第２検出窓信号を生成する（ステップ３１０）。
【００３４】
上記補正後、制御部１８は第１ＴＤＭＡ処理部１４Ａが復調する新基地局の受信タイミングにおけるＵＷ検出窓を狭く戻すようタイミング発生部２０に指示する（ステップ３１１）。また制御部１８は、誤り許容設定部２１に誤り許容の設定を０ビットから１ビットに戻すよう指示する（ステップ３１２）。
以上のように構成することによって携帯電話機は、同期補正の基準を旧基地局から新基地局に切り替える際の、ＵＷ検出窓が広く設定されているためにノイズによるＵＷ誤検出が発生し、新基地局を基準として同期補正を誤る可能性がある期間のみ、ＵＷ検出の誤り許容を１ビットから０ビットに変更するので、その期間のＵＷ誤検出の確率が低くなり、音声受信やメッセージ受信時の性能を低下させることなく、シームレスハンドオーバ時の誤動作を低減することができる。
【００３５】
【発明の効果】
本発明の携帯電話機は、現在使用中の第１の通信チャネル上での通信データの送受信を維持したまま他の基地局に第２の通信チャネルの割り当てを要求して第２の通信チャネルとの接続を確立した後に、通信データの送受信を第１から第２の通信チャネルに切り替えるシームレスハンドオーバを行なう携帯電話機であって、前記第１から第２の通信チャネルに切り替えたとき、第２の通信チャネルの受信タイムスロットに含まれる同期ワードの検出誤りの許容度を一時的に厳しくするよう構成される。
【００３６】
この構成によれば携帯電話機は、第１の通信チャネルから第２の通信チャネルに切り替えたときの、第２の通信チャネルの同期ワードを基準に同期補正を開始する期間において、検出誤りの許容度を一時的に厳しくするので、同期補正誤りの確率を低減することができ、これによって通信チャネルの切り替え時に通話切断が生じないという効果がある。
【００３７】
本発明の携帯電話機は、現在使用中の第１の通信チャネル上での送受信を維持したまま他の基地局に新たな第２の通信チャネルの割り当てを要求して第２の通信チャネルとの接続を確立した後、通信データの送受信を第１から第２の通信チャネルに切り替えるシームレスハンドオーバを行なう携帯電話機であって、時分割多重による第１の通信チャネルにおける受信タイムスロットのタイミングを示す第１タイミング信号を、第１タイミング信号を基準に第２の通信チャネルにおける受信タイムスロットのタイミングを示す第２タイミング信号をそれぞれ生成するタイミング生成手段と、前記第１タイミング信号を基準に第１の通信チャネルの受信タイムスロットに含まれる同期ワードの検出期間を示す第１検出窓信号を、第１検出窓信号を基準に第２の通信チャネルの受信タイムスロットに含まれる同期ワードの検出期間を示す第２検出窓信号をそれぞれ生成する検出窓生成手段と、第１および第２検出窓信号が示す各検出期間において、指定されたビット数のビット誤りを許容して同期ワードを検出する同期ワード検出手段と、第１検出窓信号の検出期間と検出された同期ワードとのタイミングのずれ量をタイミング生成手段の第１タイミング信号の生成過程にフィードバックするフィードバック手段と、第２の通信チャネルとの接続が確立された後に、第２の通信チャネルにおける受信タイムスロットのタイミングを基準にして第１タイミング信号を生成するようタイミング生成手段を制御するとともに、同期ワード検出手段に指定してビット誤りを許容するビット数を一時的に少なくさせる制御手段とから構成される。
【００３８】
この構成によれば携帯電話機は、第２の通信チャネルとの接続が確立されて、第１の通信チャネルから第２の通信チャネルへと同期補正の基準とするチャネルを切り替える際の、同期ワード誤検出の発生が高くなって第２の通信チャネルとの同期補正を誤りやすい期間に、同期ワードの許容ビット数を少なくするので、その期間の同期ワード誤検出の確率を低く抑えることができ、その結果第２通信チャネルとの同期補正を誤る確率も低くなり、シームレスハンドオーバ時の通話切断を低減することができる。
【図面の簡単な説明】
【図１】本発明の実施の形態に係る携帯電話機の構成を示す機能ブロック図である。
【図２】携帯電話機の送受信タイミングを示すタイムチャートである。
【図３】制御部１８の制御手順を示すフローチャートである。
【図４】通信チャネルのスロット構成を示す。
【符号の説明】
１０      アンテナ
１１      送受信切替部
１２      無線部
１３      モデム部
１４Ａ    第１ＴＤＭＡ処理部
１４Ｂ    第２ＴＤＭＡ処理部
１５      コーデック部
１６      マイク
１７      スピーカ
１８      制御部
１９      ＵＷ検出部
２０      タイミング発生部
２１      誤り許容設定部
【図１】
0003813396.tif 000002
【図２】
0003813396.tif 000003
【図３】
0003813396.tif 000004
【図４】
0003813396.tif 000005